(57)【要約】【課題】ウェルドラインの発生を抑制して係合孔周辺を補強することができる電子機器の筐体を提供する。【解決手段】開放箱形の樹脂製の第１のケース２と、第１のケース２に嵌め込みで固定される開放箱形の樹脂製の第２のケース３と、から構成され、第２のケース３の開放部が、第１のケース２の開放部に嵌合されるとともに、第１のケース２の開放部の内壁面に形成されたフック部２ａが、第２のケース３の開放部の壁面を貫通して形成された、第１及び第２のケースの嵌合方向と直交する方向に長い複数の長孔から成る係合孔３ａの各々に第２のケースの外壁面側から係合されることにより、第１及び第２のケース２、３が合体される電子機器の筐体において、第２のケース３の内壁面に、係合孔３ａを短手方向に横切るリブ３ｃを一体に形成した。【選択図】図４
2008182622.tif 000002
【特許請求の範囲】
【請求項１】
液晶モジュールが配設される背面開放箱形の樹脂製のフロントケースと、該フロントケースに嵌め込みで固定される前面開放箱形の樹脂製のリアケースと、から構成され、前記リアケースの前面開放部が、前記フロントケースの背面開放部に嵌合されるとともに、前記フロントケースの背面開放部の内壁面に形成された複数のフック部の各々が、前記リアケースの前面開放部の壁面を貫通して形成された、前後方向と直交する方向に長い複数の長孔から成る係合孔の各々に前記リアケースの外壁面側から係合されることにより、前記フロントケースと前記リアケースが合体される筐体を有する液晶テレビジョン受像器において、
前記リアケースの内壁面に、前記係合孔を短手方向に横切るリブを一体に形成したことを特徴とする液晶テレビジョン受像器。
【請求項２】
開放箱形の樹脂製の第１のケースと、該第１のケースに嵌め込みで固定される開放箱形の樹脂製の第２のケースと、から構成され、前記第２のケースの開放部が、前記第１のケースの開放部に嵌合されるとともに、前記第１のケースの開放部の内壁面に形成されたフック部が、前記第２のケースの開放部の壁面を貫通して形成された、前記第１及び第２のケースの嵌合方向と直交する方向に長い複数の長孔から成る係合孔の各々に前記第２のケースの外壁面側から係合されることにより、前記第１及び第２のケースが合体される電子機器の筐体において、
前記第２のケースの内壁面に、前記係合孔を短手方向に横切るリブを一体に形成したことを特徴とする電子機器の筐体。
【請求項３】
前記リブが、前記係合孔の長手方向に並んで複数設けられたことを特徴とする請求項２に記載の電子機器の筐体。
【発明の詳細な説明】
【技術分野】
【０００１】
本発明は、開放箱形の２つのケースから組立てられる電子機器の筐体、又はこのような筐体を有する液晶テレビジョン受像器に関するものである。
【背景技術】
【０００２】
従来の技術について液晶テレビジョン受像器を例にして図面を参照して説明する。
【０００３】
図５は従来の液晶テレビジョン受像器の主基板及びリアケースを取り外して示す組立図である。液晶テレビジョン受像器１の筐体は、図５に示すように、液晶モジュール４や主基板５が配設される背面開放箱形のフロントケース２と、フロントケース２の背面開放部に嵌め込みで固定される前面開放箱形のリアケース３と、から構成されている。リアケース３の前面開放部は、外壁面に段差ができるように薄肉に形成されており、フロントケース２の背面開放部に嵌合されるようになっている。このとき、フロントケース２の背面開放部の内壁面に形成された複数のフック部２ａの各々が、リアケース３の前面開放部の壁面を貫通して形成された、複数の長孔から成る係合孔３ａの各々に係合してフロントケース２とリアケース３が合体される。
【０００４】
フロントケース２には、図５に示すように、液晶モジュール４の背後に、主基板５を取付けるための取付板金６が配設される。取付板金６には、所々に、複数のねじ孔６１ａを有する受け部６１が切り起こしで形成されていて、主基板５に貫設された複数のねじ孔５１と、対応する取付板金６の受け部６１のねじ孔６１ａとにビス７を螺合することにより、主基板５は取付板金６に対して固定される。
【０００５】
図６は従来のリアケース成形用金型の縦断面図であり、図７は図６の一点鎖線における断面図であり、図８は従来のリアケースを開放側から見た斜視図である。リアケース３の成形時には、図６及び図７に示すように、凹部を有する第１の金型１０１と凸部を有する第２の金型１０２とが、凹凸嵌合様に組み合わされる。このとき、凹部と凸部とが所定の間隔をおいて対向し、空洞部１０３が形成される。リアケース３は、この空洞部１０３に溶融した樹脂材料（以下、単に「材料」という）を充填・固化して作られる。材料は、第１の金型１０１を貫通して形成されたインジェクション１０１ａから空洞部１０３に注入される。第１の金型１０１には、リアケース３に複数の係合孔３ａ（図５参照）を形成するために、対応する箇所に複数の突起１０１ｂが設けられている。注入された材料は空洞部１０３を満たしていき、最終的に、突起１０１ｂの後方（図６の紙面右方）から両サイド（図６の紙面前方及び後方）に回り込んで第２の金型１０２の垂直面まで到達し、突起１０１ｂの前方（図６の紙面左方）に流れ込んで両サイドからの材料同士が中央部でぶつかるように充填される。
【０００６】
このため、図８に示されるように出来上がったリアケース３を開放側から見ると、図９に示すように、材料がぶつかる点で、材料同士が完全に溶融する前に固化することにより、いわゆるウェルドライン３ｂが発生する場合がある。このウェルドライン３ｂは、樹脂製品の強度低下を招く成形不良の一種である。よって、フロントケース２とリアケース３の合体時にフック部２ａと係合孔３ａの引っ掛かりが強いと、リアケース３の係合孔３ａの周辺に作用する負荷によってウェルドライン３ｂに亀裂が入る場合があり、リアケース３を破損するおそれがあった。
【０００７】
なお、特許文献１〜３に記載された発明は、テレビジョン受像器の筐体の組立構造に関するものであるが、いずれも上述したような、リアケースに、フロントケースのフック部が係合される係合孔を有するタイプの筐体に関するものではない。
【特許文献１】特開平６−３１１４５９号公報
【特許文献２】実用新案登録第３０９０７０２号公報
【特許文献３】特開昭６４−３７１８３号公報
【発明の開示】
【発明が解決しようとする課題】
【０００８】
本発明は上記の問題に鑑みてなされたものであり、ウェルドラインの発生を抑制して係合孔周辺を補強することができる電子機器の筐体又はこのような筐体を有する液晶テレビジョン受像器を提供することを目的とする。
【課題を解決するための手段】
【０００９】
上記目的を達成するために、請求項１の液晶テレビジョン受像器は、液晶モジュールが配設される背面開放箱形の樹脂製のフロントケースと、該フロントケースに嵌め込みで固定される前面開放箱形の樹脂製のリアケースと、から構成され、前記リアケースの前面開放部が、前記フロントケースの背面開放部に嵌合されるとともに、前記フロントケースの背面開放部の内壁面に形成された複数のフック部の各々が、前記リアケースの前面開放部の壁面を貫通して形成された、複数の長孔から成る係合孔の各々に前記リアケースの外壁面側から係合されることにより、前記フロントケースと前記リアケースが合体される筐体を有する液晶テレビジョン受像器において、前記リアケースの内壁面に、前記係合孔を短手方向に横切るリブを一体に形成したことを特徴としている。
【００１０】
また、請求項２の電子機器の筐体は、開放箱形の樹脂製の第１のケースと、該第１のケースに嵌め込みで固定される開放箱形の樹脂製の第２のケースと、から構成され、前記第２のケースの開放部が、前記第１のケースの開放部に嵌合されるとともに、前記第１のケースの開放部の内壁面に形成されたフック部が、前記第２のケースの開放部の壁面を貫通して形成された、前記第１及び第２のケースの嵌合方向と直交する方向に長い複数の長孔から成る係合孔の各々に前記第２のケースの外壁面側から係合されることにより、前記第１及び第２のケースが合体される電子機器の筐体において、前記第２のケースの内壁面に、前記係合孔を短手方向に横切るリブを一体に形成したことを特徴としている。
【００１１】
また、請求項３の電子機器の筐体は、請求項２に記載の電子機器の筐体において、前記リブが、前記係合孔の長手方向に並んで複数設けられたことを特徴としている。
【発明の効果】
【００１２】
請求項１の液晶テレビジョン受像器によると、リアケース成形用の金型には、係合孔形成用の突起を跨いで延びる、リブ形成用の溝が設けられることになるため、この溝によってリアケース成形時に材料が流れる流路ができ、突起の両サイドから前方に回り込んだ樹脂同士がぶつかる点にさらに材料が流れ込むことになる。従って、ウェルドラインの発生が抑制され、係合孔を有することによるリアケースの強度の低下が防止される。また、出来上がったリアケースには、係合孔を短手方向に横切るリブが一体に形成されるため、リアケースの係合孔周辺を補強することができる。
【００１３】
請求項２の電子機器の筐体によると、第２のケース成形用の金型には、係合孔形成用の突起を跨いで延びる、リブ形成用の溝が設けられることになるため、この溝によって第２のケース成形時に材料が流れる流路ができ、突起の両サイドから前方に回り込んだ樹脂同士がぶつかる点にさらに材料が流れ込むことになる。従って、ウェルドラインの発生が抑制され、係合孔を有することによる第２のケースの強度の低下が防止される。また、出来上がった第２のケースには、係合孔を短手方向に横切るリブが一体に形成されるため、第２のケースの係合孔周辺を補強することができる。
【００１４】
請求項３の電子機器の筐体によると、リブがリアケースの各係合孔の長手方向に並んで複数形成されるため、第２のケースの係合孔周辺をより頑丈に補強することができる。
【発明を実施するための最良の形態】
【００１５】
以下、本発明を実施するための最良の形態について図面を参照して説明する。以下の説明において、図５〜図９に示す従来の液晶テレビジョン受像器と共通の部材には同一の符号を附し、詳しい説明を省略する。
【００１６】
図１は本発明の一実施形態に係る液晶テレビジョン受像器の筐体を構成するリアケース成形用金型の縦断面図であり、図２は図１の一点鎖線における断面図である。図１及び図２に示すように、第２の金型１０２には、第１の金型１０１の突起１０１ｂを、該突起１０１ｂの長手方向（図１の紙面前後方向、図２の紙面左右方向）の中央で跨いで延びる溝１０２ａが設けられている。この溝１０２ａは、図１に点線矢印で示すように、空洞部１０３に、突起１０１ｂを跨いで材料の流れる流路を形成する。よって、突起１０１ｂの前方の、材料同士がぶつかる点にさらに材料が流れ込む部分ができるため、ウェルドラインの発生を抑制することができ、ひいてはリアケース３の強度の低下を防止することができる。
【００１７】
上記のように第２金型１０２の溝１０２ａにも材料が充填され、固化する結果として、図３及び図４に示すように、出来上がったリアケース３の内壁面には、各係合孔３ａを短手方向に横切るリブ３ｃが形成される。これにより、リアケース３の係合孔３ａ周辺を補強することができる。よって、フロントケース２のフック部２ａとリアケース３の係合孔３ａとの引っ掛かりを強めに設定しても、係合孔３ａ周辺の強度不足に起因して起こるリアケース３の破損を防止することができる。
【００１８】
本発明は上記の実施形態には限定されない。例えば、図１及び図２に示された例では、第２の金型１０２の溝１０２ａは、第１の金型１０１の各突起１０１ｂに対して１本しか設けられていないが、突起１０１ｂの長手方向に並んで複数本設けても良い。これによると、出来上がったリアケース３の内壁面には、各係合孔３ａを短手方向に横切るリブ３ｃが複数形成されることになるため、リアケース３の係合孔３ａ周辺をより頑丈に補強することができる。
【００１９】
なお、上記の実施形態では液晶テレビジョン受像器を例にして説明したが、本発明は合体されて筐体を構成する第１及び第２のケースが合体されて構成される電子機器の筐体であればどんなものにでも適用が可能である。この場合、第２のケースは、第１のケースに対して着脱可能或いは開閉可能な蓋であっても構わない。
【図面の簡単な説明】
【００２０】
【図１】は、本発明の一実施形態に係る液晶テレビジョン受像器の筐体を構成するリアケース成形用金型の縦断面図である。
【図２】は、図１の一点鎖線における断面図である。
【図３】は、上記実施形態に係るリアケースを開放側から見た斜視図である。
【図４】は、図３の破線円で囲んだ部分の拡大図である。
【図５】は、従来の液晶テレビジョン受像器の主基板及びリアケースを取り外して示す組立図である。
【図６】は、従来のリアケース成形用金型の縦断面図である。
【図７】は、図６の一点鎖線における断面図である。
【図８】は、従来のリアケースを開放側から見た斜視図である。
【図９】は、図８の破線円で囲んだ部分の拡大図である。
【符号の説明】
【００２１】
１    液晶テレビジョン受像器（電子機器の一例）
２    フロントケース（第１のケース）
２ａ  フック部
３    リアケース（第２のケース）
３ａ  係合孔
３ｃ  リブ
１０１  （リアケース成形用）第１の金型
１０１ｂ  （係合孔形成用）突起
１０２  （リアケース成形用）第２の金型
１０２ａ  （リブ形成用）溝
【図１】
2008182622.tif 000003
【図２】
2008182622.tif 000004
【図３】
2008182622.tif 000005
【図４】
2008182622.tif 000006
【図５】
2008182622.tif 000007
【図６】
2008182622.tif 000008
【図７】
2008182622.tif 000009
【図８】
2008182622.tif 000010
【図９】
2008182622.tif 000011